(57)【要約】      （修正有）【課題】足裏を押す突起を付けた器具に運動機能を付加し、足腰の筋肉を鍛えることと、咄嗟の運動判断力を養うことができる器具を提供する。【解決手段】所定の厚みと広さを有する、板状又はマット状又はシート状又はその他の形状の部材から成る、複数枚のベース部材１の其々の上面に、少なくとも１〜５まで順列し、多くとも１〜１５まで順列する数の内、１から順列する５〜１５までの内の任意の数までの突起２が取り付けられており、そして、順列する数の突起２は順列する数を判別できる所定の高さと太さを有している。【選択図】図１
2013230332.tif 000002
【特許請求の範囲】
【請求項１】
所定の厚みと広さを有する、板状又はマット状又はシート状又はその他の形状の部材から成る、複数枚のベース部材の其々の上面に、少なくとも１〜５まで順列し、多くとも１〜１５まで順列する数の内、１から順列する５〜１５までの内の任意の数までの突起が取り付けられており、そして、順列する数の突起は順列する数を判別できる所定の高さと太さを有していることを特徴とする足踏み運動具。
【請求項２】
ベース部材１枚の上面に複数の順列数を示す突起を配置しており、該突起は数の順列とは無関係に配置されていることを特徴とする請求項ｉに記載の足踏み運動具。
【請求項３】
複数枚のベース部材が其々を連結する又は接続する為の接続部を有していることを特徴とする請求項ｉ〜２のいずれかに記載の足踏み運動具。
【請求項４】
順列する数の内の任意の少なくとも二つ以上の突起を所定の広さと厚みを有する移動部材上に形成して、一枚又は複数枚のベース部材上に取り付け、前記移動部材が取り付け位置を交換できることを特徴とする請求項２〜３のいずれかに記載の足踏み運動具。
【請求項５】
移動部材を枠の内側に装着することを特徴とする請求項４に記載の足踏み運動具。
【発明の詳細な説明】
【技術分野】
【０００１】  本発明は足腰の筋肉と頭脳を鍛える為の足踏み運動具に関する。
【背景技術】
【０００２】  従来、健康器具には色々な物が有るが、其の中に突起を付けた板状器具の上に足を乗せ、足裏の壺を押し当てて、健康を増進させる器具や、竹を半分に割って、湾曲した外側部分に足裏を当てて乗り、足裏の壺が突起で押されることで刺激され、健康を増進させる器具が有った。これらの器具は運動をすると云うよりもゆっくり足の裏を押して健康を増進させるものであり、これらの器具には運動と云う概念は含まれていなかった。
【発明が解決しようとする課題】
【０００３】  本発明に於いて足の裏を押す突起を有する器具に運動性を加え、運動をしながら筋肉を鍛え、更に数と位置を咄嗟に識別する判断力を養い、安全に使用できる足踏み運動具を提供することを課題とする。
【課題を解決する為の手段】
【０００４】  上記課題を解決する為に、本発明は次の如き足踏み運動具を提供する。
１、所定の厚みと広さを有する、板状又はマット状又はシート状又はその他の形状の部材から成る、複数枚のベース部材の其々の上面に、少なくとも１〜５まで順列し、多くとも１〜１５まで順列する数の内、１から順列する５〜１５までの内の任意の数までの突起が取り付けられており、そして、順列する数の突起は順列する数を判別できる所定の高さと太さを有していることを特徴とする足踏み運動具。
２、ベース部材１枚の上面に複数の順列数を示す突起を配置しており、該突起は数の順列とは無関係に配置されていることを特徴とする上記第１項に記載の足踏み運動具。
３、複数枚のベース部材が其々を連結する又は接続する為の接続部を有していることを特徴とする上記第２項に記載の足踏み運動具。
４、順列する数の内の任意の少なくとも二つ以上の数の突起を所定の広さと厚みを有する移動部材上に形成して、一枚又は複数枚のベース部材上に取り付け、前記移動部材が取り付け位置を交換できることを特徴とする上記第２〜３項のいずれかに記載の足踏み運動具。
５、移動部材を枠の内側に装着することを特徴とする上記第４項に記載の足踏み運動具。
【発明実施の形態】
【０００５】    以下、図面を参照しながら本発明の各種態様に係る足踏み運動具に関して説明する。以下の説明は本発明の技術思想を具現化する幾つかの具体例を説明するものであり、本発明は以下の説明に限定されるものでは無い。
【０００６】  初めに本発明の足踏み運動具に係る一態様に就いて説明する。図１（ａ）と（ｂ）は足踏み運動具の全体の形態を示す斜視図である。図１（ａ）の斜視図は所定の幅と厚みを有する帯状でマット状の二枚のベース部材１の上面に１〜５までの順列する数の突起２を数毎の間に所定の間隔を有して形成し、二枚のベース部材１に配置した図である。図１（ｂ）は図（ａ）の平面図であるが、足との位置関係を示す為に足３を図示している。図（ｂ）では足３は床面４に乗った形態を示している。ベース部材１に配置された突起２の数は順列する数の配列とは無関係に任意に前記ベース部材１の上面に配置されたものである。そして順列する数の突起２は順列する数を判別できる高さと太さを有している。突起２に就いては二枚のベース部材１に於いて一つの突起２だけを引き出し線で示し、他の突起２に就いては省略しているのでご了承頂きたい。本発明に於いては突起２の数はｉ〜１５まで形成することができ、突起の数の順列は、少なくとも１〜５までを必要とする。数が５未満ではステップ数が少ない為に、すぐに配置に慣れてしまい判断力の向上ができないことと、足裏への圧接（押す）ポイントが少なくなり、足裏への圧接の変化が減じてしまうことが生じるからである。又、ｉ〜１５までとしているのは１５よりも数が多くなると、数の判断が咄嗟に出来難くなるからである。図１では判り易い様に最小限の、ｉ〜５の突起数で説明する。又、段落（０００７）で述べるが、偶数よりも奇数の方が好ましい。それは、最後の奇数から再度１に戻る時に、次は１から足の踏み変えができるからである。図１に於いて二枚のベース部材の一枚ずつに二つ及び三つの順列する数の突起２が形成されているが、配置数は任意である。一つでも構わない。又本発明に於いては順列する順番に突起２を配列しても構わない。
【０００７】  これを使用するには先ず初めにｉの数を有する一つの突起２の上に片足３を乗せて足裏を突起２で押して突起２に乗せた足３を床面４に戻し体制を整えて、次に２の数を有する二つの突起２の上にもう一方の足３を乗せて足裏を押した後、足３を床面４に戻し、更に次に初めの足３を３の数を有する三つの突起２の上に足３を乗せ変え足裏を押した後床面４に戻す、これを左右の足３でＩ〜５まで繰り返す返すことに依り、足裏を押すこと（圧接）と、足のステップの運動をすることができるのである。図１では数が５の奇数で形成されているので、５まで踏んだ後、更に１に戻ると、最初に１を踏んだ足とは逆の足で踏むことと成り、更に別の足で５まで踏むことができるのである。又、本発明に於いては図１で示す様に二枚のベース部材１の間の床面４に両足を置くことができる為、足を踏み変える際に一度床面４に両足を置いて体勢を整えることができるのである。本発明に於いては二枚のベース部材１の間に任意の広さの足３を置くスペースを形成することができ、必要に応じて足３と突起２との間隔を調整できるので使用する際の安全性を高めることができ、二枚のベース部材１を身体の周囲の任意の位置に置くことに依りステップの安全性を高め、ステップのバリエーションを創ることができ、更に数の認識をする為に、身体の周囲に目を向ける必要が生じる為、判断力の向上を図ることができるのである。このことは三枚以上のベース部材ｉに於いても同様である。又、突起上２に直接足を乗せ交互に踏み変えて使用することもできるが、安全上、勧められる使い方では無い。
【０００８】  次に各部の詳細を説明する。先ずベース部材１であるが、ベース部材１は其の上面に突起２を取り付ける為の部材であり、形状は所定の広さと厚さを有し、所定の硬さを有する板状の部材であっても良いし、所定の広さと厚さを有し、柔軟性を有するマット状の部材であっても良いし、シート状の部材であっても良いし、網状の部材であっても良いし、又は他の部材であっても良い。又、１枚のベース部材を突起の数毎の複数枚に分割でき、分割したベース部材ｉを接続できる構造であっても良い。この分割及び接続は二枚以上のベース部材ｉ間で成されても良い。又、一枚のベース部材ｉが折り畳める構造であっても良い。又、帯状であって、平面上で湾曲していても構わない。又は、円形であっても良い。形状は任意であるが、実施上、寸法は一枚のベース部材ｉは幅１０〜３０ｃｍ、長さ５０ｃｍ以内が好ましい。厚さは１〜１０ｍｍ程度が好ましい。材質は任意であり、布材又はフエルト材又はゴム材又はスポンジ材又はプラスチック材又は木材などから選択できる。図１では二枚のベース部材１で示したが、実施上は三枚から五枚以内が好ましい。又、二枚以上のベース部材１に於いて複数の順列する数を配置したベース部材ｉの左右を反対にして置くことで、突起２の配置を変えることができる。三枚以上のベース部材ｉに於いても同様であるが、三枚以上の場合には、更に二枚以上のベース部材１の置き場所を交換することで、突起２の配置を変化させることができる。ベース部材ｉの裏側には滑り止めのゴム材が帯状又はドット状に形成されていても良い。
【０００９】  次に突起２であるが、突起２のベース部材１への取り付けの形態には色々有り、それらの形態を挙げると突起２を形成する部材がベース部材１と一体化しているか、又は、突起２を形成する部材をベース部材１にねじ込むか又は接着剤で付けるか、又は底板に突起２を形成してベース部材１に孔を開け裏から差し込んで取り付けるか、又は（請求項４）に示した移動部材に突起２を一体化させて形成し、該移動部材をベース部材１に取り付ける方法などがある。其の他としては他部材を介して取り付けることもできる。又、実施上、一つの数を示す複数の突起２が取り付けられる際には、その複数の突起２の頂部は縦及び横の寸法が８ｃｍ以内の範囲であることが好ましい。これは足裏の広さと足裏への圧力の掛り方を考慮したものである。８ｃｍ以上を有すると足裏から外側に出易く成り、単位面積当たりに対して突起２の個数を増やすことで、突起２の一つに掛る荷重が分散され数の少ない場合よりも小さく成り、其のことで足裏に掛る圧力が変わり、其のことで生ずる効果を得られなくなることが有る為に、一つの数を表わす複数の突起２の端から端までの頂部間の寸法は縦及び横の寸法は８ｃｍ以内が好ましいとするものであるが、男女又は、大人と子供の差などから足の大きさは変わるので実施上は経験的に決定されて良い。又、一つの数を示す中での複数の突起２間の間隔は任意であるが、実施上は突起２の頂部間が１ｃｍ以上を有していることが好ましい。１ｃｍ以下では二つの数の突起２が一つの数の突起２として判別される不具合が生じるからである。その点を逆から云えば一つの突起２には縦方向に、幅の狭いスリットが形成されていても良いと云うことが云える。但しその場合、該突起２が一つの突起２として判別し得ることが必要であることは云うまでも無い。段落（００１４）で説明する移動部材に形成する場合もベース部材１と同様であるが、移動部材への突起２の取り付けに就いては後記する。又、突起２の形状は任意であるが、突起２の高さ及び太さに就いて伝えば、順列する数の突起２は使用する際に順列数を認識できる高さと太さ有してしていることが必要である。これは足のステップを変える際に咄嗟の判断を必要とするからである。其のことより数の順列を判別できる高さと太さを必要とする。又、足裏に当たる高さを有していることが必要ではあるが、高さは使用方法によっては、形成する数の端部側を低くしたりすることも有り得るので、一つの数の中での突起２の高さは経験的に決定されて良い。ここで云う高さは一つの突起２に於いて其の突起２の最も低い部分から頂部までを云う。上部が二股に又は三俣に成っている様な場合は二股又は三俣を形成する股の部分から頂部までを云う。後記するが突起２に底板を付けて底板の上部に所定の厚みの孔のあいたカバーを被せ、カバーから突起が出る場合はカバー上面からの高さを云いう。太さに就いて云えば、一つの数ごとの突起２の数に依って異なるが、実施上、太さは高さの中央部に於いて、１ｃｍ〜３ｃｍ程度が好ましく、高さは５ｍｍ〜３ｃｍの範囲程度が好ましいが前述の様に寸法は実施上経験的に決定されて良い。又、材質も任意であり、ゴム材又はプラスチック又は金属又は木材などから選択できる。数���示す突起２の配列に就いては、図１に限定されることは無く配列は自由である。又、一枚のベース部材１に順列数における二つ以上の数の突起２を形成する場合には、順列する数毎の突起２間の寸法は任意であるが実施上は１０ｃｍ以上有することが好ましい。又、突起２にはマグネットを取り付けても良い。マグネットの磁気による依る健康増進を図ることができる。又、突起２にベース部材１又は後記する移動部材と異なる色を付けることが突起２を認識し易くなるので好ましい。
【００１０】  図２はベース部材１への突起２の取り付け方法を示す平面図（ａ）と（ｃ）と（ｅ）と側面図（ｂ）と（ｄ）と（ｆ）である。図２では突起２の数は一つで示している。ベース部材１は円形で記している。図２（ａ）と（ｂ）は突起２に底板５を形成し、ベース部材１に孔６を開け、裏から突起２を表に突出させた構造を示す図である。図（ｃ）と（ｄ）は突起２に底板５を形成し、底板５をベース部材の上面に貼り付け固定した図である。図（ｅ）と（ｆ）は図（ｃ）の底板の上側に突起２の通る孔６を開けた突起２とは表面の色の異なるカバー７を取り付けた図である。図２に於いて其々の部材の固定方法は止めピン１２を取り付けて切れ目のあるワッシャー１３で止める構造を示しているが、他に接着するなどの色々な方法が有るので固定方法は経験的に決定されて良い。又、図（ｃ）と（ｄ）の場合、底板５の表面の突起２の取り付けられていない箇所に、突起２とは異なる色を着けると突起２が認識し易くなるので好ましい。又，図（ａ）で底板５を硬質の部材で形成した場合は、床面を傷めない様に柔らかい薄板状又は他の形状のゴム材を貼ると良い。ゴム材を複数のドットで形成しても良い。
【００１１】  図３は本発明に掛る別の態様を示す平面図である。図３はベース部材１を三枚形成して、各々のベース部材１に三つの順列する数の突起を順列とは無関係に１〜９までを形成して、足３の周囲の床面４に配置した形態を示すものである。この様に配置することで図１よりも配置が複雑になり、ステップに、より高い判断力を要する為、咄嗟の判断力の更なる向上を実現することができる。段落（０００８）で述べたがこの様に三枚のベース部材ｉを離して配置することで、配置したベース部材の左右を入れ替えることと、二枚以上のベース部材１の位置を交換することで突起２の配置を変化させることができる。
【００１２】  図４は本発明に係る別の態様を示す平面図（ａ）と（ｃ）と側面図（ｂ）である。本態様はベース部材が接続部１４を有することを示すものである。図４はｉ〜９までの内の任意の数を形成するベース部材三枚を繋ぎ合せた図である。図４では二枚の円形のベース部材ｉと長円形（円形の中央が伸びた形）のベース部材ｉが其々に接続部１４を有しており、円形のベース部材ｉには一つの順列数を示す突起、長円形のベース部材ｉには二つの順列数を示す、一個と四個の突起２が取り付けられている。そして各々が、接続部１４（マジックテープ（登録商標）１５）で接続されている。図（ａ）と（ｂ）では三個の突起を有したベース部材ｉが右側に配置されている。図（ｃ）では三個の突起を有したベース部材１が左側に位置を変えて接続されている。この様にベース部材ｉの位置を入れ替えることで突起２の配置を変えることができ、ステップを変化させることができる。図４では接続部１４とマジックテープ（登録商標）１５の符号を併記している。ベース部材１の接続はマジックテープ（登録商標）１５以外ではマグネットやスナップ又は紐などで接続しても良い。又はベース部材の側面に凹部及び／又は凸部を形成して相互に嵌合させても良い。ここで云う一つの順列数と云うのは１〜９までの数の内の一つを云い、順列数が９と云えば１〜９までの順列数を示すものであり、九個の突起と云えば突起が九つ有ることを示すものである。
【００１３】  図５は四枚のベース部材ｉの其々に順列数１〜９までの数の内の任意な二つ又は三つの順列数の突起を形成して接続部１４で接続した平面図である。本足踏み運動具はこの様に環状に接続して一枚のベース部材として使用することもできる。この様に接続すると突起３に足が当たった際に位置ずれが生じることを防ぐことができる。接続方法は段落（００１２）で述べた方法のいずれをも選択できる。
【００１４】  図６は本発明に係る別の態様を示す斜視図（ａ）と（ｂ）と平面図（ｃ）である。図６（ａ）に示す足踏み運動具はベース部材１とは異なる所定の大きさを有した、上面に突起２を形成した移動部材８を二枚のベース部材１の其々に一つずつ取り付け、床面４に配置した図である。図６は図１で示した１〜５までの突起の数の形態を示している。図（ｂ）は二枚の移動部材８をベース部材１から上側に取り外し、矢印方向で位置を交換することを示す図であり、ベース部材１上の円形の破線は取り付けてあった元の位置を示すものである。図（ｃ）は交換された後の形態を示す図である。図（ａ）に示す突起２の配列を図（ｃ）に示す突起２の配置にすることでＩ〜５までのステップ運動を左右交換の変化にプラスして更に変化させることができるのである。この移動部材８の形成は一枚のベース部材ｉに二つ以上の順列する数の突起が形成されている場合に適用できる。三枚以上の場合はベース部材１の置き換えの変化も加わり、更に多くの変化を実現することができるので、使用する際、この変化に伴う判断力が必要と成り、惰性に成る一連の動作を変化させ、判断能力を向上させることができるのである。移動部材８の形状は任意であるが、実施上は円形が好ましい。広さは縦横が５〜１２ｃｍ程度で厚みは１〜１５ｍｍ程度までで良い。材質は任意である。移動部材８への突起２の取り付けは図２で示した様に底板５に突起２を形成する方法が挙げられる。ベース部材ｉへの移動部材８の取り付け方法には色々有るが、実施上は図７で示す様にベース部材１に枠を形成して移動部材を嵌め込む方法やマジックテープ（登録商標）など又は図では示さないがマグネットやスナップで固定する方法などが有り、他の方法に就いては経験的に決定されて良い。
【００１５】  図７はベース部材１に移動部材８を取り付けた構造を示す平面図（ａ）と（ｃ）と側面図（ｂ）と（ｄ）である。図７（ａ）と（ｃ）は枠９をベース部材１の上面から上方に突出する突起部材で形成した構造を示す図である。図７では一つの枠９を部分的に示している。又、図７では枠９の内側に移動部材８が装着された構造を示している。移動部材８を枠９の内側に装着することで、装着する位置を一定にすることができ、枠９にベース部材ｉと異なる色を付けると装着箇所を認識し易くすることができる。移動部材８は図２で示した底板５に突起２を形成した形態であるが、図７では底板５を移動部材８で示している。図７では枠９の頂部が内側に曲がった庇１０が形成されており、円形の移動部材８には直径方向に二箇所突出する部分が形成されており、この突出部分が庇１０に掛り外れない構造に成っている。移動部材８を枠９から取り外す際は移動部材８を回転させて枠９に庇１０が形成されていない切り欠き部１１から移動部材８の突出した部分を上部に持ち上げて外すことができる。又、図７（ａ）の枠９は円形であり３箇所に外側に突出した部分が形成されており、ベース部材１の裏側から止めピン１２を表に出して上側で切れ目を有するワッシャー１３で固定した形態を示している。固定方法は任意である。枠９の高さは５〜１０ミリ程度が好ましく、幅は５〜１０ミリ程度が好ましい。庇１０の内側への突出幅は５〜１０ｍｍ程度が好ましい。図６（ｂ）と（ｄ）はベース部材１に円形の枠９を形成し、枠内のベース部材１の上面にマジックテープ（登録商標）１５を取り付け，移動部材８の裏側にもマジックテープ（登録商標）１５を取り付け接合した構造を示す図である。図（ｂ）の平面図では破線で示している。破線が二重に成っているのは上下のマジックテープ（登録商標）１５の大きさが異なることを示している。実施上、マジックテープ（登録商標）１５の形状は任意である。マジックテープ（登録商標）１５以外ではマグネットやスナップで取り付けても良い。
【００１６】  上記に於いて、本発明の足踏み運動具の各部の好ましい形状及び寸法及び材質に就いて説明したが、上記説明に限定されること無く、形状、寸法、材質は適宜経験的に決定できる。
【発明の効果】
【００１７】  本発明に係る足踏み運動具に依れば、足の裏を押す器具に運動性を加えることで、足裏を押しながら足のステップを変えることで足の筋肉トレーニングが安全性を有して行うことができ、更に数の判断力及び方向性の決定判断力を鍛えることができる。
【図面の簡単な説明】
【００１８】
【図１】  本発明の一態様に係る足踏み運動具の形態を示す斜視図（ａ）と（ｂ）である。
【図２】  本発明のベース部材への突起の取り付け方法を示す平面図（ａ）と（ｃ）と（ｅ）と側面図（ｂ）と（ｄ）と（ｆ）である。
【図３】  本発明の一態様に係る足踏み運動具の形態を示す平面図である。
【図４】  本発明のベース部材の構造を示す平面図（ａ）（ｃ）と側面図（ｂ）である。
【図５】  本発明のベース部材を方形に接続した形態を示す平面図である。
【図６】  本発明の一態様に係る足踏み運動具に移動部材を形成した形態を示す（ａ）と（ｂ）と平面図（ｃ）である。
【図７】  本発明のベース部材に移動部材を取り付けた構造を示す平面図（ａ）と（ｃ）と側面図（ｂ）と（ｄ）である。
【符号の説明】
【００１９】１、ベース部材
２  突起
３、足
４、床面
５、底板
６、孔
７、カバー
８、移動部材
９、枠
１０、庇
１１、切り欠き部
１２、止めピン
１３、切れ目を有するワッシャー
１４、接続部
１５、マジックテープ（登録商標）
【図１】
2013230332.tif 000003
【図２】
2013230332.tif 000004
【図３】
2013230332.tif 000005
【図４】
2013230332.tif 000006
【図５】
2013230332.tif 000007
【図６−１】
2013230332.tif 000008
【図６−２】
2013230332.tif 000009
【図７−１】
2013230332.tif 000010
【図７−２】
2013230332.tif 000011